(57)【要約】【課題】荷室ドアを有する車両の荷室に人が閉じ込められた場合、該荷室内に人が閉じ込められていることを該車両の近くにいる人に容易に認識させることができる車両用荷室ドア制御装置、および荷室ドア駆動装置を制御する制御装置を提供すること。【解決手段】本発明の一実施形態では、制御装置２０１は、開閉指令出力部２０２から自動閉信号を受信した場合において、人体検知センサ２０４から人体検知信号を受信した場合は、トランクリッド１０２が開かれた状態を維持するようにパワートランクリッド２０７を制御し、人体検知信号を受信しない場合は、トランクリッド１０２が閉じられるようにパワートランクリッド２０７を制御する。一方、制御装置２０１は、クローザ信号出力部２０５からクローザ信号を受信した場合は、一旦閉じられたトランクリッド１０２を開くようにパワートランクリッド２０７を制御する。【選択図】図２
2014062389.tif 000002
【特許請求の範囲】
【請求項１】
車両の荷室ドアを自動で開閉する荷室ドア駆動部と、
前記荷室ドア駆動部の駆動を制御する制御部と、
前記車両の荷室内に存在する人体を検知する人体検知部と、
前記荷室ドア駆動部により前記荷室ドアを自動で閉じることを指示する第１の信号を前記制御部に出力する第１の出力部と、
前記荷室ドアが手動で閉じられたことを示す第２の信号を前記制御部に出力する第２の出力部とを備え、
前記制御部は、
前記第１の信号を取得した場合において、前記人体検知部により前記荷室内にて人体が検知された場合は、前記荷室ドアが開かれた状態を維持するように前記荷室ドア駆動部を制御し、前記人体検知部により前記荷室内にて人体が検知されない場合は、前記荷室ドアが閉じられるように前記荷室ドア駆動部を制御し、
前記第２の信号を取得した場合において、前記人体検知部により前記荷室内にて人体が検知された場合は、一旦閉じられた荷室ドアを開くように前記荷室ドア駆動部を制御することを特徴とする車両用荷室ドア制御装置。
【請求項２】
前記人体検知部により前記荷室内にて人物が検知された場合に、警報を報知する警報装置をさらに備えることを特徴とする請求項１に記載の車両用荷室ドア制御装置。
【請求項３】
前記警報装置は、前記車両の周囲に前記警報を報知することを特徴とする請求項２に記載の車両用荷室ドア制御装置。
【請求項４】
前記制御部は、前記第１の信号を取得した場合において、前記人体検知部により前記荷室内にて人体が検知された場合は、前記荷室ドア駆動部を駆動させないことを特徴とする請求項１乃至３のいずれか１項に記載の車両用荷室ドア制御装置。
【請求項５】
前記制御部は、前記第１の信号を取得した場合において、前記人体検知部により前記荷室内にて人体が検知された場合は、前記荷室ドアが全開位置まで移動するように前記荷室ドア駆動部を制御することを特徴とする請求項１乃至３のいずれか１項に記載の車両用荷室ドア制御装置。
【請求項６】
前記第２の信号は、前記荷室ドアが施錠されたことを示す信号であることを特徴とする請求項１乃至５のいずれか１項に記載の車両用荷室ドア制御装置。
【請求項７】
前記第２の信号は、前記荷室ドアが全閉位置に位置したことを示す信号であることを特徴とする請求項１乃至５のいずれか１項に記載の車両用荷室ドア制御装置。
【請求項８】
車両の荷室内に存在する人体を検知する人体検知部を備える該車両の荷室ドアを自動で開閉する荷室ドア駆動装置を制御する制御装置であって、
前記人体検知部にて検知された前記荷室内に人体が存在することを示す人体検知信号を取得する手段と、
前記荷室ドア駆動装置により前記荷室ドアを自動で閉じることを指示する第１の信号を取得する手段と、
前記荷室ドアが手動で閉じられたことを示す第２の信号を取得する手段とを備え、
前記第１の信号を取得した場合において、前記人体検知信号により前記荷室内にて人体が検知されたと判断する場合は、前記荷室ドアが開かれた状態を維持するように前記荷室ドア駆動装置を制御し、前記人体検知信号により前記荷室内にて人体が検知されないと判断する場合は、前記荷室ドアが閉じられるように前記荷室ドア駆動装置を制御し、
前記第２の信号を取得した場合において、前記人体検知信号により前記荷室内にて人体が検知されたと判断する場合は、一旦閉じられた荷室ドアを開くように前記荷室ドア駆動装置を制御することを特徴とする制御装置。
【請求項９】
コンピュータを請求項８に記載の制御装置として機能させることを特徴とするコンピュータプログラム。
【請求項１０】
コンピュータにより読み出し可能なプログラムを格納した記憶媒体であって、請求項９に記載のコンピュータプログラムを格納したことを特徴とする記憶媒体。
【発明の詳細な説明】
【技術分野】
【０００１】
本発明は、車両用荷室ドア制御装置、および荷室ドア駆動装置を制御する制御装置に関し、より詳細には、荷室ドア（例えば、トランクリッドなど）を有する車両の荷室（例えば、トランク）に人が閉じ込められる状況を打破する車両用荷室ドア制御装置、および荷室ドア駆動装置を制御する制御装置に関するものである。
【背景技術】
【０００２】
従来、車両のトランクに人が閉じ込められた場合に対処する方法が提案されている。特許文献１には、車両のトランクリッドが閉じられたトランク内において人体を検出すると、トランクのラッチ状態を解除し、かつ車両が備える警報装置を作動してトランク内に人が閉じ込められていることを外部に知らせることが提案されている。特許文献１では、警報装置の警報形態として、クラクションといった音による通知、ヘッドランプを点灯（点滅）させるといった光による通知、携帯電話などへの通知、あるいは、基地局との通信によって異常事態を報知し応援を呼ぶメーデーシステムへの通知等が挙げられている。
【０００３】
また、特許文献２には、車両のトランクに閉じ込められた人の安全な脱出を可能にするために、トランクリッドが閉じられた状態でトランク内で人体を検出すると、車両が停止しているか、または車両が設定速度よりも低い場合にはトランクリッドをアンラッチし、車両が設定速度よりも高い場合には警笛を鳴らしたり、車外警告灯をハザード点滅させたりして車外に警告を通知することが提案されている。
【先行技術文献】
【特許文献】
【０００４】
【特許文献１】特開２００１−６５２１７号公報
【特許文献２】特開２００２−２４２５０６号公報
【発明の概要】
【発明が解決しようとする課題】
【０００５】
上述のように、特許文献１、２に開示された方法によれば、トランク内に人が閉じ込められている場合、トランク内の人体検知に応じてトランクのラッチ状態を解除するので、トランク内に閉じ込められた人を救出することができ、またトランク内に閉じ込められた人が脱出することができる。
【０００６】
しかしながら、特許文献１、２に開示された技術においては、例えばトランク内に閉じ込められている人が手を縛られた状態など身動きが取れない状況にある場合、たとえトランクのラッチ状態が解除された状態であっても、自力でトランクリッドを開けるためのレバーを操作することが難しく、トランクリッドを開けて脱出することができない場合がある。そもそも、トランク内に人が閉じ込められていることを、特殊な事情（例えば、トランク内に閉じ込められた人が発声により助けを求めること）が無い限り、該トランクを備える車両の周囲にいる人は認識できないと言える。従って、折角トランクのラッチ状態が解除されてトランク内に閉じ込められた人が脱出または救出される状況ができあがっても、閉じ込められた人が自力で脱出したり、車両の近くにいる人から救出されない状況が場合によっては生じてしまう。
【０００７】
これに対して、特許文献１、２においては、トランク内に人が閉じ込められていることを検知した場合、様々な方法で車外警告を行い、その車両の外部にトランク内に人が閉じ込められていることを注意喚起している。しかしながら、車両の近くにいる人にとっては、上記車外警告が、トランク内に人が閉じ込められていることを通知するものなのか否かを判別することが難しいと言える。例えば、車外警告が警笛やハザード点滅である場合は、これらが、警笛やハザード点滅の通常使用によるものであると車両の周囲にいる人が認識することが多いであろう。すなわち、問題となる車両のすぐ近くにいる人が、上記車外警告がトランク内に人が閉じ込められていることを示すものなのか否かを判別することができないこともある。
【０００８】
また、仮に、問題となる車両の近くにいる人が上記車外警告をトランク内に人が閉じ込められていることを通知するものと感じても、果たして本当にトランク内に人が閉じ込められているのか否かを判別することは難しい。従って、車両の近くにいる人は、上記車外警告が何かしらの誤作動によるものなのかを判別できないので、他人の車両のトランクを開けて行う救出作業を躊躇うかもしれない。
【０００９】
さらには、例えば、上記車外警告が、携帯電話やメーデーシステムへの通知である場合であっても、上記車外警告が発せられた発信場所から車両が移動している場合は、上記通知を受けた者が上記発信場所に駆けつけた時には問題となる車両はそこにおらず、トランク内に閉じ込められた人を救出することができない。また、上記通知を受けた者は、車外警告が発生された時には上記発信場所とは別の場所にいることが想定される。よって、上記通知を受けた者が問題となる車両を追跡できたとしても、該問題となる車両に辿り着くまでに相当の時間を要してしまう。
【００１０】
本発明は、このような課題に鑑みてなされたもので、その目的とするところは、荷室ドアを有する車両の荷室に人が閉じ込められた場合、該荷室内に人が閉じ込められていることを該車両の近くにいる人に容易に認識させることができる車両用荷室ドア制御装置、および荷室ドア駆動装置を制御する制御装置を提供することにある。
【課題を解決するための手段】
【００１１】
このような目的を達成するために、本発明の第１の態様は、車両用荷室ドア制御装置であって、車両の荷室ドアを自動で開閉する荷室ドア駆動部と、前記荷室ドア駆動部の駆動を制御する制御部と、前記車両の荷室内に存在する人体を検知する人体検知部と、前記荷室ドア駆動部により前記荷室ドアを自動で閉じることを指示する第１の信号を前記制御部に出力する第１の出力部と、前記荷室ドアが手動で閉じられたことを示す第２の信号を前記制御部に出力する第２の出力部とを備え、前記制御部は、前記第１の信号を取得した場合において、前記人体検知部により前記荷室内にて人体が検知された場合は、前記荷室ドアが開かれた状態を維持するように前記荷室ドア駆動部を制御し、前記人体検知部により前記荷室内にて人体が検知されない場合は、前記荷室ドアが閉じられるように前記荷室ドア駆動部を制御し、前記第２の信号を取得した場合において、前記人体検知部により前記荷室内にて人体が検知された場合は、一旦閉じられた荷室ドアを開くように前記荷室ドア駆動部を制御することを特徴とする。
【００１２】
本発明の第２の態様は、車両の荷室内に存在する人体を検知する人体検知部を備える該車両の荷室ドアを自動で開閉する荷室ドア駆動装置を制御する制御装置であって、前記人体検知部にて検知された前記荷室内に人体が存在することを示す人体検知信号を取得する手段と、前記荷室ドア駆動装置により前記荷室ドアを自動で閉じることを指示する第１の信号を取得する手段と、前記荷室ドアが手動で閉じられたことを示す第２の信号を取得する手段とを備え、前記第１の信号を取得した場合において、前記人体検知信号により前記荷室内にて人体が検知されたと判断する場合は、前記荷室ドアが開かれた状態を維持するように前記荷室ドア駆動装置を制御し、前記人体検知信号により前記荷室内にて人体が検知されないと判断する場合は、前記荷室ドアが閉じられるように前記荷室ドア駆動装置を制御し、前記第２の信号を取得した場合において、前記人体検知信号により前記荷室内にて人体が検知されたと判断する場合は、一旦閉じられた荷室ドアを開くように前記荷室ドア駆動装置を制御することを特徴とする。
【発明の効果】
【００１３】
本発明によれば、荷室ドアを有する車両の荷室に人が閉じ込められた場合、該荷室内に人が閉じ込められていることを該車両の近くにいる人に容易に認識させることができる。
【図面の簡単な説明】
【００１４】
【図１】（ａ）は、本発明の一実施形態に係る車両のトランクリッドが閉じられた状態を示す図であり、（ｂ）は、（ａ）に示す車両のトランクリッドが開けられた状態を示す図である。
【図２】本発明の一実施形態に係る車両用荷室ドア制御装置の概略構成図である。
【図３】本発明の一実施形態に係る車両の側面図である。
【図４】本発明の一実施形態に係る車両用荷室ドアの自動の閉要求があったときの処理手順を示すフローチャートである。
【図５】本発明の一実施形態に係る車両用荷室ドアが手動で閉められたときの処理手順を示すフローチャートである。
【発明を実施するための形態】
【００１５】
以下、図面を参照して、本発明の実施の形態を説明するが、本発明は本実施形態に限定されるものではない。なお、以下で説明する図面で、同機能を有するものは同一符号を付け、その繰り返しの説明は省略することもある。
【００１６】
（第１の実施形態）
本実施形態では、荷室として閉鎖型のトランクを備える車両における車両用荷室ドア制御装置について説明する。
図１（ａ）は、本実施形態に係るトランク１０１と、荷室ドアとしてのトランクリッド１０２とを備える車両１００における、トランクリッド１０２がトランク１０１を閉じている閉鎖状態を示す図であり、図１（ｂ）は、車両１００における、トランクリッド１０２が全開位置にある全開状態を示す図である。本実施形態では、トランク１０１は閉鎖型であるので、トランクリッド１０２によりトランク１０１が閉鎖状態となると該トランク内１０１は密室となる。よって、トランク１０１内に人が閉じ込められ、トランクリッド１０２が閉じられると、車両１００の周囲にいる人からはトランク１０１内を直接見ることができず、トランク１０１内に人が閉じ込められているか否かを見た目では判別することができない。
【００１７】
図２は、本発明の一実施形態に係る車両用荷室ドア制御装置２００の概略構成図である。  
図２において、車両用荷室ドア制御装置２００は、制御装置２０１と、開閉指令出力部２０２と、入力操作部２０３と、人体検知センサ２０４と、クローザ信号出力部２０５と、トランクリッドクローザ装置２０６と、パワートランクリッド（ＰＴＬ）２０７と、警報装置２０８とを備えている。
【００１８】
開閉指令出力部２０２は、ユーザ（例えば、運転者）が入力操作部２０３を操作してトランクリッド１０２を自動で開閉する指示を入力すると、トランクリッド１０２の開閉指令を制御装置２０１に送信する。よって、ユーザが入力操作部２０３を介してトランクリッド１０２を自動で閉じる（閉鎖状態にする）指示を入力すると、開閉指令出力部２０２は、トランクリッド１０２を自動で閉じることを指示する信号（「自動閉信号」とも呼ぶ）を制御装置２０１に送信する。入力操作部２０３は、ユーザ（例えば運転者）からの、トランク開閉に関する指示を入力するための部材である。本実施形態では、入力操作部２０３は、運転席近傍に設けられたスイッチである。
なお、無線通信等の通信機能を有する、携帯キー、スマートフォン、タブレット等、車両１００とは別個の装置から、トランクリッド１０２の開閉を自動で行う指示を行う場合は、該別個の装置からの開閉指令に関する無線信号を受信する受信装置を車両１００に設け、該受信装置にて開閉指令に関する無線信号を受信すると、開閉指令出力部２０２が開閉指令を制御装置２０１に送信するようにすれば良い。よって、例えば、携帯キーによりユーザがトランクリッド１０２を自動で閉じる指示を入力すると、上記受信装置にて受信した無線信号に応じて、開閉指令出力部２０２は、自動閉信号を制御装置２１０に送信する。
【００１９】
人体検知センサ２０４は、図３に示されるように、トランク１０１内に設けられており、該トランク１０１内に人体が存在しているか否かを検出する。トランク１０１内において人体を検知すると、人体検知センサ２０４は、トランク１０１内にて人体を検知したことを示す信号（「人体検知信号」とも呼ぶ）を制御装置２０１に送信する。人体検知センサ２０４としては、例えば、赤外線センサ、焦電センサ、メンブレンスイッチ等の接触センサ、人の呼吸による酸素濃度により人体を検知するように構成された酸素センサ等、トランクリッド１０２が閉じて閉鎖状態となったトランク１０１内において、人体の存在を検知できるものであればいずれを用いても良い。
【００２０】
クローザ信号出力部２０５は、ユーザがトランクリッドクローザ装置２０６を手動で操作してトランクリッド１０２を施錠した場合、トランク１０１がラッチ状態となったことを示す信号（「クローザ信号」とも呼ぶ）を制御装置２０１に送信する。
【００２１】
トランクリッドクローザ装置２０６は、トランクリッド１０２に設けられ、該トランクリッド１０２を施錠または解錠する機構であり、ユーザによる手動で施錠・解錠するためのキーの挿入口を有する。トランクリッドクローザ装置２０６は、ユーザが手動により上記挿入口にキーを差し込んで所定の方向に廻すことでトランクリッド１０２の施錠・解錠を行うことができ、また開閉指令出力部２０２からの開閉指令（自動閉信号を含む）が出力されている場合は自動でトランクリッド１０２の施錠・解錠を行うことができる。
【００２２】
パワートランクリッド２０７は、制御装置２０１から送信された、トランクリッド１０２の開閉を指示するコマンド（「開閉指示コマンド」とも呼ぶ）により、トランクリッド１０２の自動開閉動作を行う駆動部を駆動して、トランクリッド１０２の開閉を自動で行う。トランクリッド１０２が開いている状態（例えば、トランクリッド１０２が全開位置にある場合）で、開閉指令出力部２０２が自動閉信号を出力した場合は、制御装置２０１は、パワートランクリッド２０７に対してトランクリッド１０２を閉鎖させる閉指示コマンドを送信する。パワートランクリッド２０７は、閉指示コマンドに従って開いている状態のトランクリッド１０２をトランク１０１が閉鎖状態（密閉状態）となる位置（全閉位置）まで移動させてトランクリッド１０２によりトランク１０１を全閉する（図１（ａ）の状態）。このとき、制御装置２０１は、トランクリッドクローザ装置２０６に対して、パワートランクリッド２０７によりトランクリッド１０２が全閉位置に移動したら施錠することを示す施錠コマンドをトランクリッドクローザ装置２０６に対して送信する。よって、トランクリッドクローザ装置２０６は、トランク１０１が閉鎖状態となったら自動でトランクリッド１０２を施錠する。
【００２３】
また、トランクリッド１０２が閉じている状態（トランクリッド１０２が全閉位置にある場合）で、開閉指令出力部２０２がトランクリッド１０２を自動で開くことを示す信号を出力した場合は、制御装置２０１は、パワートランクリッド２０７に対してトランクリッド１０２を開く開指示コマンドを送信する。また、制御装置２０１は、トランクリッドクローザ装置２０６に対してトランクリッド１０２を解錠することを示す解錠コマンドを送信する。よって、該解錠コマンドに従ってトランクリッドクローザ装置２０６はトランクリッド１０２を解錠し、パワートランクリッド２０７は、開指示コマンドに従って閉じている状態のトランクリッド１０２をトランク１０１が全開状態となる全開位置まで移動させてトランク１０１を全開状態にする（図１（ｂ）の状態）。
【００２４】
さらに、本実施形態では、後述するように、制御装置２０１がクローザ信号と人体検知信号を取得した場合（手動でトランクリッド１０２が閉められ、かつトランク１０１内に人が閉じ込められている場合）は、制御装置２０１は、パワートランクリッドに開指示コマンドを送信し、トランクリッドクローザ装置２０６に解錠コマンドを送信する。よって、この場合は、トランクリッドクローザ装置２０６は、制御装置２０１から取得した解錠コマンドに従ってトランクリッド１０２を解錠し、その後にパワートランクリッド２０７は、制御装置２０１から取得した開指示コマンドに従って、所定の位置までトランクリッド１０２が開くようにトランクリッド１０２を移動させて、トランク１０１を開状態とする。なお、この所定の位置は全開位置であることが好ましい。本実施形態では、上記所定の位置を全開位置とする（図１（ｂ）の状態）。
【００２５】
警報装置２０８は、車両１００の外部に対して所定の警報を行う。該所定の警報としては、クラクション、所定の音声といった音による通知、ヘッドランプを点灯（点滅）させるといった光による通知、携帯電話などへの通知、あるいは、基地局との通信によって異常事態を報知し応援を呼ぶメーデーシステムへの通知など、トランク１０１内に人が閉じ込められていることを車両外部に通知できるものであればいずれを用いても良い。なお、後述するように、本実施形態では、トランク１０１内に人が閉じ込められている場合は、結果的にトランクリッド１０２が開けられた状態となるので、警報装置２０８は、少なくとも車両１００の周囲に対して所定の警報（音による通知や光による通知など）を報知することが好ましい。
【００２６】
制御装置２０１は、車両用荷室ドア制御装置２００全体を制御する制御手段としての制御部である。また、制御装置２０１は、車両１００の他の構成も制御することができる。この制御装置２０１は、種々の演算、制御、判別などの処理動作を実行するＣＰＵ２０９、およびこのＣＰＵ２０９によって実行される様々な制御プログラム（例えば、図４、５に示すプログラム）などを格納するＲＯＭ２１０を有する。また、制御装置２０１は、ＣＰＵ２０９の処理動作中のデータや入力データなどを一時的に格納するＲＡＭ２１１、およびフラッシュメモリやＳＲＡＭ等の不揮発性メモリ２１２などを有する。制御装置２０１には、開閉指令出力部２０２と、人体検知センサ２０４と、クローザ信号出力部２０５と、パワートランクリッド２０７と、警報装置２０８とが電気的に接続されている。また、図２には示されていないが、制御装置２０１は、トランクリッドクローザ装置２０６とも電気的に接続されている。
【００２７】
図４は、本実施形態に係るトランクリッド１０２の自動の閉要求があったときの処理手順を示すフローチャートである。  
ユーザが入力操作部２０３を介してトランクリッド１０２を自動で閉じる指示を入力すると、開閉指令出力部２０２は、自動閉信号を制御装置２０１に送信する。制御装置２０１は、自動閉信号を受信すると、図４に示すプログラムに従って自動の閉要求があったときの処理を実行する。
【００２８】
ステップＳ４１では、制御装置２０１は、トランク１０１内に人が存在しているか否かを判断する。制御装置２０１は、人体検知センサ２０４に人体検知動作のコマンドを送信し、人体検知センサ２０４に人体検知させる。人体検知センサ２０４から人体検知信号を受信した場合、制御装置２０１は、トランク１０１内に人が存在すると判断し、ステップＳ４２に進む。一方、人体検知センサ２０４から人体検知信号を受信しない場合、制御装置２０１は、トランク１０１内に人が存在しないと判断し、ステップＳ４４に進む。
【００２９】
ステップＳ４２では、制御装置２０１は、開閉指令出力部２０２から自動閉信号を受信しているにも関わらず、トランクリッド１０２を全閉位置まで位置させる動作をキャンセルする。すなわち、制御装置２０１は、パワートランクリッド２０７に、閉指示コマンドを送信せず、該パワートランクリッド２０７を作動させない。よって、入力操作部２０３を操作した人物はパワートランクリッド動作によりトランク１０１の閉鎖を望んでいるが、制御装置２０１は、トランクリッド１０２を閉めない制御を行うので、トランクリッド１０２は現在の位置（例えば、全開位置）を維持する。
【００３０】
ステップＳ４３では、制御装置２０１は、警報装置２０８を動作させ、車両１００の外部にトランク１０１内に人が閉じ込められている旨の通知を行う。
【００３１】
ステップＳ４４では、制御装置２０１は、パワートランクリッド２０７に対して閉指示コマンドを送信し、かつトランクリッドクローザ装置２０６に施錠コマンドを送信して、パワートランクリッド２０７によりトランクリッド１０２を全閉位置まで移動させ、トランクリッドクローザ装置２０６によりトランク１０１をラッチ状態にさせる。
【００３２】
このように、本実施形態では、パワートランクリッド２０７を用いて自動でトランクリッド１０２を閉める要求があっても、トランク１０１内に人が閉じ込められている場合は、パワートランクリッド２０７を作動をさせず、トランク１０１を閉じさせない。従って、トランク１０１はトランクリッド１０２によって閉じられず、車両１００の周囲にいる人（車両１００を目視できる人）がトランク１０１の中を見ることができる。すなわち、車両１００のすぐ近くにいる人に対して、トランク１０１内に人が閉じ込められていることを見た目で判断させることができる。よって、トランク１０１内に人が閉じ込められていることを車両１００の周囲にいる人（特に、近くにいる人）に容易に認識させることができ、トランク１０１内に閉じ込められている人が身動きできない状況（例えば、手足が縛られている状況）であっても、他の人に救出される確率を高めることができる。
【００３３】
また、本実施形態では、トランク１０１内に人体を検知した場合、トランク１０１を開状態として警報通知を行っているので、車両１００の周囲にいて警報を聞いた人に対して、該警報がトランク内に人が閉じ込められている旨であることを正確に伝えることができる。従来では、上述のように、ある車両から警報が発せられても、周囲にいる人にとってはその警報がトランク１０１内に人が閉じ込められていることを示すものか否かを判別することができないこともあり、折角警報を発しても、それを検知した周囲の人に、その真意、つまりトランク１０１内に人が閉じ込められているので助けが必要ということが正確に伝わらないこともある。しかしながら、本実施形態では、警報により周囲の人の注目を集め、かつ警報が発せられている車両を注目している人がトランク１０１の中を容易に確認することができるので、車両１００を目視できる位置にいる周囲の人にトランク１０１内に人が閉じ込められていることをより正確に知らせることができる。すなわち、警報だけではその真意を周囲の人に伝えられなくても、その警報により車両１００を見た周囲の人は、トランク１０１内を見ることができるので、トランク１０１内に人が閉じ込められていることを認識することができる。よって、トランク１０１内に人が閉じ込められている旨を示す警報の効力をより発揮させることができる。
【００３４】
なお、周囲の人への注意喚起という観点からすると、トランク１０１内がより露呈していることが好ましい。よって、ステップＳ４２にて、制御装置２０１は、ＰＴＬ作動装置への閉指示コマンドの送信を取りやめる代わりに、トランクリッド１０２を全開位置に移動させるコマンドを送信するようにしても良い。これにより、パワートランクリッド２０７は、トランクリッド１０２を全開にさせる動作を行う（図１（ｂ）の状態）。よって、ユーザから自動の閉要求を受けた時に、トランクリッド１０２が全開位置に位置していなくても、トランク１０１内に人が閉じ込められている場合は、トランクリッド１０２を全開にすることができ、周囲の人に対して、トランク１０１内をよりはっきりと確認させることができる。
【００３５】
図５は、本実施形態に係るトランクリッド１０２が手動で閉じられたときの処理手順を示すフローチャートである。  
ユーザがトランクリッドクローザ装置２０６を介してトランクリッド１０２を手動で施錠すると、クローザ信号出力部２０５は、クローザ信号を制御装置２０１に送信する。制御装置２０１は、クローザ信号を受信すると、図５に示すプログラムに従って手動で閉じられたときの処理手順を実行する。
【００３６】
ステップＳ５１では、制御装置２０１は、トランク１０１内に人が存在しているか否かを判断する。制御装置２０１は、人体検知センサ２０４に人体検知動作のコマンドを送信し、人体検知センサ２０４に人体検知させる。人体検知センサ２０４から人体検知信号を受信した場合、制御装置２０１は、トランク１０１内に人が存在すると判断し、ステップＳ５２に進む。一方、人体検知センサ２０４から人体検知信号を受信しない場合、制御装置２０１は、トランク１０１内に人が存在しないと判断し、処理を終了する。
【００３７】
ステップＳ５２では、制御装置２０１は、パワートランクリッド２０７に対して開指示コマンドを送信し、かつトランクリッドクローザ装置２０６に対して解錠コマンドを送信して、トランクリッドクローザ装置２０６によりトランクリッド１０２を解錠させ、パワートランクリッド２０７によりトランクリッド１０２を全開位置まで移動させて、トランク１０１を全開状態にさせる。
【００３８】
ステップＳ５３では、制御装置２０１は、警報装置２０８を動作させ、車両１００の外部にトランク１０１内に人が閉じ込められている旨の通知を行う。
【００３９】
このように、トランクリッド１０２を手動で閉められた場合において、一旦トランクリッド１０２が閉められラッチ状態となっても、トランク１０１内に人が閉じ込められている場合は、トランクリッド１０２を手動で閉めた人物の意図に反してパワートランクリッドを作動させて、トランクリッド１０２を全開位置に移動させ、トランクを全開状態としている。車両１００の周囲にいる人がトランク１０１の中を見ることができるので、上述した自動で閉要求があった場合と同じ効果を得ることができる。
【００４０】
なお、本実施形態で重要なことは、トランクリッド１０２を手動で閉められた場合においてトランクリッド１０２を全開させることではなく、この状況において、車両１００の周囲にいる人に、トランク１０１内を見せるようにすることである。従って、ステップＳ５２においては、トランクリッド１０２を全開位置と全閉位置との間の所定の位置まで移動させ、トランクを開状態とするようにしても良い。すなわち、トランクリッド１０２が少しでも開いた状態（すなわち、トランク１０１の開状態）を確立できれば、車両１００の周囲の人がトランク１０１内を確認することができるのである。
【００４１】
上述に示すように、本実施形態によれば、トランク１０１内に人が存在していると、自動でトランクリッド１０２を閉じられない、または手動で閉じてもトランクが開放されてしまうので、車両１００の周囲の人が、トランク１０１内に閉じ込められた人を見た目で確認することができ、該閉じ込められた人を救出することができる。
【００４２】
（第２の実施形態）
第１の実施形態では、車両の荷室が閉鎖型のトランクである場合について説明したが、開放型のトランクであっても良い。この場合は、荷室ドアがパワーバックドア等となる。このような開放型のトランクであれば、荷室と座席室とが一体化されているので、荷室が密室状態とは言えないが、例えば荷室に閉じ込められている人の手足が縛られている場合は、該人にとっては身動きが取れないので実質的には密室状態と言えるかもしれない。しかしながら、本発明を適用すれば、荷室に閉じ込められている場合はバックドアが開いたり、閉じれなかったりするので、車両の周囲にいる人に対してその存在を見た目で知らせることができる。また、パワーバックドアに窓が設けられている場合においては、その窓から周囲にいる人が荷室内を見ることができるが、該窓にスモークがかけられている場合は、周囲にいる人は窓から荷室内を確認することが困難である場合もある。しかしながら、本実施形態によれば、そのような場合でも、荷室内に人体を検知するとパワーバックドアが結果として開けられた状態となるので、車両の周囲にいる人に対してその存在を見た目で知らせることができる。
【００４３】
（第３の実施形態）
上述の実施形態では、トランクリッド１０２が手動で閉じられたときに、ユーザがトランクリッドクローザ装置２０６を手動で操作して施錠した場合（手動でラッチ状態にした場合）、ステップＳ５１〜Ｓ５３を行っている。これに対して、本実施形態では、ユーザの手動によりトランクリッド１０２が閉められた時点（トランクリッド１０２が閉位置に位置した時点）で、制御装置２０１がステップＳ５１〜Ｓ５３を実行する。
【００４４】
本実施形態では、図５に示す処理を実行するトリガとしては、制御装置２０１が、トランクリッド１０２が全閉位置に位置したことを示す信号（「トランクリッド閉位置信号」とも呼ぶ）を受信することとなる。よって、本実施形態では、クローザ信号出力部２０５の代わりに、トランクリッド１０２が全閉位置に位置したことを検知すると（トランクリッド１０２が閉じられたことを検知すると）トランクリッド閉位置信号を出力するトランクリッド閉位置信号出力部を用いれば良い。この場合は、ユーザがトランクリッド１０２を手動で閉めると、トランクリッド閉位置信号出力部は、トランクリッド閉位置信号を制御装置２０１に送信する。制御装置２０１は、トランクリッド閉位置信号を受信すると、上述したステップＳ５１〜Ｓ５３の処理を実行する。
【００４５】
トランク１０１内に人を閉じ込めた人物は、トランクリッド１０２を施錠しない場合も考えられる。これに対して、本実施形態によれば、施錠をするか否かによらずトランクリッド１０２が閉じられたことをトリガとして、ステップＳ５１〜Ｓ５３を行っている。従って、トランク１０１内に人が閉じ込められ、手動によりトランクリッド１０２が閉められたが、トランクリッド１０２は施錠されない場合であっても、一旦閉じられたトランクリッド１０２を開位置（好ましくは、全開位置）まで移動させて、トランク１０１内を露呈させることができる。
【００４６】
さて、本発明では、トランク１０１内に人が閉じ込められている状況において、パワートランクリッドを用いて自動でトランクリッド１０２を閉める要求があった場合はトランクリッド１０２を開いた状態を維持し（トランクリッド１０２を全閉状態とするパワートランクリッドの動作を行わせない）、かつ手動によりトランクリッド１０２が閉じられた場合は一旦閉じられたトランクリッド１０２を自動で開くようにパワートランクリッドを作動させることが重要である。後者を考慮すると、本発明では、トランクリッド１０２が閉じられた時に生成される、該トランクリッド１０２が手動で閉じられたことを示す信号を制御装置２０１が取得できれば、ステップＳ５１〜Ｓ５３を開始することができる。このトランクリッド１０２が手動で閉じられたことを示す信号は、上記クローザ信号、およびトランクリッド閉位置信号を含む。特に、クローザ信号については、以下の理由によりトランクリッド１０２が閉じられたことを示す信号に含まれる。クローザ信号は、トランク１０１がラッチ状態となったこと、すなわちトランクリッド１０２が施錠されたことを示す信号であるので、該クローザ信号が生成される状況としては、トランクリッド１０２は必ず手動で閉じられている。従って、クローザ信号は、トランクリッド１０２がラッチ状態であることを示すと共に、トランクリッド１０２が手動で閉じられていることも示すと言えるのである。
【００４７】
（その他の実施形態）  
前述した実施形態の機能を実現するように前述した実施形態の構成を動作させるプログラム（例えば、図４、５に示す処理を行うプログラム）を記憶媒体に記憶させ、該記憶媒体に記憶されたプログラムをコードとして読み出し、コンピュータにおいて実行する処理方法も上述の実施形態の範疇に含まれる。即ちコンピュータ読み取り可能な記憶媒体も実施例の範囲に含まれる。また、前述のコンピュータプログラムが記憶された記憶媒体はもちろんそのコンピュータプログラム自体も上述の実施形態に含まれる。
かかる記憶媒体としてはたとえばフロッピー（登録商標）ディスク、ハードディスク、光ディスク、光磁気ディスク、ＣＤ―ＲＯＭ、磁気テープ、不揮発性メモリカード、ＲＯＭを用いることができる。
また前述の記憶媒体に記憶されたプログラム単体で処理を実行しているものに限らず、他のソフトウエア、拡張ボードの機能と共同して、ＯＳ上で動作し前述の実施形態の動作を実行するものも前述した実施形態の範疇に含まれる。
【符号の説明】
【００４８】
１００    車両
１０１    トランク
１０２    トランクリッド（荷室ドア）
２０１    制御装置
２０２    開閉指令出力部（第１の出力部）
２０４    人体検知センサ
２０５    クローザ信号出力部（第２の出力部）
２０７    パワートランクリッド（荷室ドア駆動部）
【図１】
2014062389.tif 000003
【図２】
2014062389.tif 000004
【図３】
2014062389.tif 000005
【図４】
2014062389.tif 000006
【図５】
2014062389.tif 000007